(57)【特許請求の範囲】
【請求項１】
整合器を介して高周波電力を負荷に供給する高周波電源の出力電力制御方法において、
前記負荷の電流が放電を維持することのできる最小の電流であるときの整合器の整合部よりも負荷側における電流検出値よりも大きい電流設定値を予め設定しておき、
前記電流検出値が前記電流設定値以上の場合は、前記電力検出値が予め設定された電力設定値に等しくなるように出力する高周波電力を制御し、
前記電流検出値が前記電流設定値未満の場合は、前記電流設定値から前記電流検出値を減じた値に応じて変化するプラスの指令値を前記電力設定値に加え、前記指令値を前記電力設定値に加算した値と前記電力検出値とが等しくなるように出力する高周波電力を制御することを特徴とする高周波電源の出力電力制御方法。
【請求項２】
整合器を介して高周波電力を負荷に供給する高周波電源の出力電力制御方法において、
前記負荷の電流が放電を維持することのできる最小の電流であるときの整合器の整合部よりも負荷側における電流検出値よりも大きい電流設定値を予め設定しておき、
前記電流検出値が前記電流設定値以上の場合は、前記電力検出値が予め設定された電力設定値に等しくなるように出力する高周波電力を制御し、
前記電流検出値が前記電流設定値未満の場合は、前記電流設定値から前記電流検出値を減じた値に応じて変化する指令値と前記電力検出値とが等しくなるように出力する高周波電力を制御し、前記指令値は出力する高周波電力を増加させるための値であることを特徴とする高周波電源の出力電力制御方法。
【請求項３】
整合器を介して高周波電力を負荷に供給する高周波電源装置において、
前記整合器の整合部よりも負荷側の電流を検出する電流検出部と、
前記負荷の電流が放電を維持することのできる最小の電流であるときの整合器の整合部よりも負荷側における電流検出値よりも大きい電流設定値を予め設定する出力電流設定部と、
前記電流検出部で検出した電流検出値と前記電流設定値とを比較し、前記電流検出値が前記電流設定値以上の場合は高周波電力の出力を増加させるための指令値を出力せず、前記電流検出値が電流設定値未満の場合は前記電流設定値から前記電流検出値を減じた値に応じて変化する値であって高周波電力の出力を増加させるためのプラスの指令値を出力する電流制御部と、
高周波電源装置から出力され負荷に向かう進行波電力を検出するか、進行波電力および負荷側から反射される反射波電力を検出する電力検出部と、
前記電力検出部で検出した進行波電力の検出値または進行波電力の検出値から反射波電力の検出値を減じた負荷側電力の検出値が、予め設定された電力設定値に前記電流制御部から出力する指令値を加えた値に等しくなるように制御するための電力制御信号を出力する電力制御部と、
前記電力制御部から出力される電力制御信号に応じて出力値を増減させた高周波電力を出力する増幅部とを備えたことを特徴とする高周波電源装置。
【請求項４】
整合器を介して高周波電力を負荷に供給する高周波電源装置において、
前記整合器の整合部よりも負荷側の電流を検出する電流検出部と、
前記負荷の電流が放電を維持することのできる最小の電流であるときの整合器の整合部よりも負荷側における電流検出値よりも大きい電流設定値を予め設定する出力電流設定部と、
前記電流検出部で検出した電流検出値と前記電流設定値とを比較し、前記電流検出値が前記電流設定値以上の場合は高周波電力の出力を増加させるための指令値を出力せず、前記電流検出値が電流設定値未満の場合は前記電流設定値から前記電流検出値を減じた値に応じて変化する値であって高周波電力の出力を増加させるための指令値を出力する電流制御部と、
高周波電源装置から出力され負荷に向かう進行波電力を検出するか、進行波電力および負荷側から反射される反射波電力を検出する電力検出部と、
前記電流検出値が前記電流設定値以上の場合は、前記電力検出部で検出した進行波電力の検出値または進行波電力の検出値から反射波電力の検出値を減じた負荷側電力の検出値が、予め設定された電力設定値に等しくなるように出力する高周波電力を制御するための電力制御信号を出力し、前記電流検出値が前記電流設定値未満の場合は、前記電力検出部で検出した進行波電力の検出値または進行波電力の検出値から反射波電力の検出値を減じた負荷側電力の検出値が、前記電流制御部から出力する指令値に等しくなるように出力する高周波電力を制御するための電力制御信号を出力する電力制御部と、
前記電力制御部から出力される電力制御信号に応じて出力値を増減させた高周波電力を出力する増幅部とを備えたことを特徴とする高周波電源装置。
【発明の詳細な説明】
【技術分野】
【０００１】
本発明は、例えばプラズマエッチング、プラズマＣＶＤを行うプラズマ処理装置等の負荷に整合器を介して電力を供給する高周波電源装置に関するものである。
【背景技術】
【０００２】
整合器を介して高周波電力を負荷に供給する高周波電源装置として、従来は高周波電源装置が出力する進行波電力あるいは進行波電力から反射波電力を減じた負荷側電力を一定に制御する方法が用いられてきた。
【０００３】
図５は、従来の高周波電源装置１ｐの構成、整合器３ｐの構成及び高周波電源装置１ｐと整合器３ｐと負荷５との接続関係を示すブロック図である。
従来の高周波電源装置１ｐは、伝送線路２及び整合器３ｐ及び負荷接続部４を介して、負荷５に高周波電力を供給するための電源装置であり、発振部１１から出力した高周波信号を増幅部１２で増幅し電力検出部１３を介して高周波電力を出力する。なお、高周波電源装置１ｐの増幅部１２から出力されて負荷５に向かう高周波電力を進行波電力という。
電力検出部１３によって検出された進行波電力ＰＦおよび反射波電力ＰＲは、電力制御部１６ｐにフィードバックされ、進行波電力ＰＦあるいは負荷側電力（進行波電力−反射波電力）が、出力電力設定部１５で設定された出力電力設定値の大きさになるように電力制御部１６ｐで制御される。
【０００４】
伝送線路２は、電力を伝送するための線路であり、例えば、同軸ケーブル、導波管、同軸管等が用いられる。負荷接続部４は、例えば電磁波が漏れないように遮蔽された銅板からなり、負荷接続部４を介して整合器３ｐと負荷５とが接続される。
【０００５】
整合器３ｐは、整合器３ｐの入力端から伝送線路２を経由し高周波電源装置側を見た電源側インピーダンスＺｏ（通常は５０Ωにしていることが多い）と、整合器３ｐの入力端から負荷側を見た負荷側インピーダンスＺＬ（整合器３ｐ及び負荷接続部４及び負荷５のインピーダンス）とを整合させることによって、高周波電源装置１ｐと負荷５との間をインピーダンス整合させる目的で用いられる装置である。
【０００６】
この整合器３ｐは、主に整合部３２と整合器制御部３１とで構成される。
整合部３２は、可変インピーダンス素子（例えば、可変コンデンサ、可変インダクタ等）及び固定インピーダンス素子（例えば、固定コンデンサ、固定インダクタ等）によって構成され、可変インピーダンス素子のインピーダンスを変化させることによって高周波電源装置１ｐと負荷５との間をインピーダンス整合させることができる。この例では、可変コンデンサＣ１、Ｃ２と固定インダクタＬ１によって整合部３２が構成されている。
整合器制御部３１は、図示しない高周波電力検出器を備え、高周波電力の電圧成分、電流成分および電圧成分と電流成分との位相差を検出し、検出した情報に基づいて高周波電源装置１ｐと負荷５との間がインピーダンス整合するように整合部のインピーダンス値を制御する機能を有する。この例の場合、整合器制御部３１は、可変コンデンサＣ１、Ｃ２のキャパシタンス値を制御する。
【０００７】
負荷５は、加工部を備え、その加工部の内部に搬入したウエハ、液晶基板等の被加工物を加工（エッチング、ＣＶＤ等）するための装置である。この負荷５は、被加工物を加工するために、加工部にプラズマ放電用ガスを導入し、そのプラズマ放電用ガスに高周波電源装置から供給された高周波電力（電圧）を印加することによって、上記のプラズマ放電用ガスを放電（以下、プラズマ放電という）させて非プラズマ状態からプラズマ状態にしている。そして、プラズマ状態になったガスを利用して被加工物を加工している。なお、このような放電を伴う負荷を放電負荷という。また、放電負荷においては、放電開始前と放電開始後で負荷インピーダンスが急変する特性がある。
【０００８】
ところで、高周波電源装置１ｐと負荷５との間がインピーダンス整合しているときは、高周波電源装置１ｐから出力された高周波電力が効率よく負荷５に供給される。
しかし、負荷５の内部インピーダンスがプラズマ放電の状態によって変動するために、負荷のインピーダンスは整合時に比べて、高インピーダンス又は低インピーダンスに変動する。
そうなると、高周波電源装置１ｐと負荷５との間がインピーダンス整合していない状態になって、整合器の入力端３０１での反射係数が増加するために、高周波電源装置１ｐから出力されて負荷５に向かう進行波電力の一部又は全部が反射して整合器３ｐから高周波電源装置に向かう反射波電力ＰＲが発生するので、高周波電力が効率よく負荷５に供給されない。
【０００９】
通常は、整合器３ｐによってインピーダンス整合をさせるために、整合状態に戻るが、不整合状態から整合状態になるまでの間は、反射波電力が発生することになる。また、整合器３ｐの調整が最適でない場合等は、不整合状態が続くこともある。上記のような理由で発生した反射波電力ＰＲは、高周波電源装置内に戻る。
【特許文献１】特開２００１−１９７７４９号公報
【特許文献２】特開２００３−１４３８６１号公報
【発明の開示】
【発明が解決しようとする課題】
【００１０】
前述したような整合器を介して高周波電力を負荷に供給する高周波電源装置において、放電負荷のように放電開始前と放電開始後の負荷インピーダンスが急変する負荷が接続されたとき、高周波電源装置１ｐから出力する進行波電力あるいは負荷側電力（進行波電力−反射波電力）を一定に制御する場合について説明をする。
【００１１】
高周波電源装置１ｐが進行波電力の出力を開始して放電負荷が放電すると、整合器は負荷インピーダンスの急変に対応するために、整合部３２の可変コンデンサＣ１，Ｃ２のキャパシタンス値を変化させて整合動作を行う。
【００１２】
この整合動作の過程において、整合器内の可変コンデンサＣ１，Ｃ２のインピーダンスが変化しているために、高周波電源装置が進行波電力あるいは負荷側電力を一定に制御するように動作していても、整合器３ｐの出力端３０２の電圧や出力電流の大きさは変化している。したがって整合過程においては、負荷にかかる電圧や負荷を流れる電流値が変化する。
【００１３】
上記整合過程において、放電負荷の電圧が放電を維持できない大きさまで低下したり、放電負荷を流れる電流値が放電を維持できない大きさまで低下すると、放電が消滅する。放電が消滅すると、整合器の入力端での反射係数が増加するために、整合器は反射係数が小さくなるように整合動作を行う。この過程において負荷にかかる電圧が放電開始電圧に達しないと再び放電を行うことができない。放電開始電圧に達し再放電を行った場合には、整合動作を続ける。その後、放電負荷の電圧が放電維持電圧未満の大きさになると放電は再び消滅するが、放電維持電圧よりも下がらなければ放電を維持して整合動作を続ける。
【００１４】
負荷を流れる電流値が放電を維持できない大きさまで低下して放電が消滅した場合も同様であり、負荷を流れる電流値が放電開始電流に達しないと再び放電を行うことができない。放電開始電流に達し再放電を行った場合には、整合動作を続ける。その後、負荷を流れる電流値が放電維持電流未満の大きさになると放電は再び消滅するが、放電維持電流よりも下がらなければ放電を維持して整合動作を続ける。
【００１５】
このように従来の高周波電源装置では、接続する負荷が放電負荷の場合には、放電開始から整合するまでの間に放電が消滅する場合があり、放電を利用するエッチング装置やＣＶＤ装置の加工プロセスに悪影響を与えるという問題があった。
本発明は、上記問題を鑑みなされたもので、放電開始から整合過程において放電の消滅が発生しない高周波電源装置を提供することを目的としている。
【課題を解決するための手段】
【００１７】
本願発明によって提供される高周波電源の出力電力制御方法は、例えば図２に示すように、
整合器を介して高周波電力を負荷に供給する高周波電源の出力電力制御方法において、
前記負荷の電流が放電を維持することのできる最小の電流であるときの整合器の整合部よりも負荷側における電流検出値よりも大きい電流設定値を予め設定しておき、
前記電流検出値が前記電流設定値以上の場合は、前記電力検出値が予め設定された電力設定値に等しくなるように出力する高周波電力を制御し、
前記電流検出値が前記電流設定値未満の場合は、前記電流設定値から前記電流検出値を減じた値に応じて変化するプラスの指令値を前記電力設定値に加え、前記指令値を前記電力設定値に加算した値と前記電力検出値とが等しくなるように出力する高周波電力を制御することを特徴としている。
【００１９】
本願発明によって提供される他の高周波電源の出力電力制御方法は、例えば図４に示すように、
整合器を介して高周波電力を負荷に供給する高周波電源の出力電力制御方法において、
前記負荷の電流が放電を維持することのできる最小の電流であるときの整合器の整合部よりも負荷側における電流検出値よりも大きい電流設定値を予め設定しておき、
前記電流検出値が前記電流設定値以上の場合は、前記電力検出値が予め設定された電力設定値に等しくなるように出力する高周波電力を制御し、
前記電流検出値が前記電流設定値未満の場合は、前記電流設定値から前記電流検出値を減じた値に応じて変化する指令値と前記電力検出値とが等しくなるように出力する高周波電力を制御し、前記指令値は出力する高周波電力を増加させるための値であることを特徴としている。
【００２１】
本願発明によって提供される他の高周波電源装置は、例えば図２に示すように、
整合器を介して高周波電力を負荷に供給する高周波電源装置において、
前記整合器の整合部よりも負荷側の電流を検出する電流検出部と、
前記負荷の電流が放電を維持することのできる最小の電流であるときの整合器の整合部よりも負荷側における電流検出値よりも大きい電流設定値を予め設定する出力電流設定部と、
前記電流検出部で検出した電流検出値と前記電流設定値とを比較し、前記電流検出値が前記電流設定値以上の場合は高周波電力の出力を増加させるための指令値を出力せず、前記電流検出値が電流設定値未満の場合は前記電流設定値から前記電流検出値を減じた値に応じて変化する値であって高周波電力の出力を増加させるためのプラスの指令値を出力する電流制御部と、
高周波電源装置から出力され負荷に向かう進行波電力を検出するか、進行波電力および負荷側から反射される反射波電力を検出する電力検出部と、
前記電力検出部で検出した進行波電力の検出値または進行波電力の検出値から反射波電力の検出値を減じた負荷側電力の検出値が、予め設定された電力設定値に前記電流制御部から出力する指令値を加えた値に等しくなるように制御するための電力制御信号を出力する電力制御部と、
前記電力制御部から出力される電力制御信号に応じて出力値を増減させた高周波電力を出力する増幅部とを備えたことを特徴としている。
【００２３】
本願発明によって提供される他の高周波電源装置は、例えば図４に示すように、
整合器を介して高周波電力を負荷に供給する高周波電源装置において、
前記整合器の整合部よりも負荷側の電流を検出する電流検出部と、
前記負荷の電流が放電を維持することのできる最小の電流であるときの整合器の整合部よりも負荷側における電流検出値よりも大きい電流設定値を予め設定する出力電流設定部と、
前記電流検出部で検出した電流検出値と前記電流設定値とを比較し、前記電流検出値が前記電流設定値以上の場合は高周波電力の出力を増加させるための指令値を出力せず、前記電流検出値が電流設定値未満の場合は前記電流設定値から前記電流検出値を減じた値に応じて変化する値であって高周波電力の出力を増加させるための指令値を出力する電流制御部と、
高周波電源装置から出力され負荷に向かう進行波電力を検出するか、進行波電力および負荷側から反射される反射波電力を検出する電力検出部と、
前記電流検出値が前記電流設定値以上の場合は、前記電力検出部で検出した進行波電力の検出値または進行波電力の検出値から反射波電力の検出値を減じた負荷側電力の検出値が、予め設定された電力設定値に等しくなるように出力する高周波電力を制御するための電力制御信号を出力し、前記電流検出値が前記電流設定値未満の場合は、前記電力検出部で検出した進行波電力の検出値または進行波電力の検出値から反射波電力の検出値を減じた負荷側電力の検出値が、前記電流制御部から出力する指令値に等しくなるように出力する高周波電力を制御するための電力制御信号を出力する電力制御部と、
前記電力制御部から出力される電力制御信号に応じて出力値を増減させた高周波電力を出力する増幅部とを備えたことを特徴としている。
【発明の効果】
【００２４】
従来では、接続する負荷が放電負荷の場合には、放電開始から整合するまでの間に放電が消滅する場合があり、放電を利用するエッチング装置やＣＶＤ装置の加工プロセスに悪影響を与えるという問題があった。
しかし、本発明では、整合器の整合部よりも負荷側の電流検出値が電流設定値未満の場合に、電力設定値よりも高周波出力を増加させることによって、整合器の整合部よりも負荷側の電流検出値が電流設定値よりも小さくならないように制御するので、放電開始してから整合状態になるまでに放電が消滅することはない。
そのために、従来に生じていた加工プロセスでの問題を解消できる。
【発明を実施するための最良の形態】
【００２５】
以下、本発明の詳細を図面を参照して説明する。
【００２６】
［第１の実施の形態］
図１は、第１の実施形態に係る高周波電源装置１ａの構成、整合器３ａの構成及び高周波電源装置１ａと整合器３ａと負荷５との接続関係を示すブロック図である。
【００２７】
（整合器の説明）
第１の実施形態に係る整合器３ａは、従来技術の整合器３ｐに比べて、整合器の整合部３２よりも負荷側の出力電圧を検出する電圧検出部３３を有する点が異なるが、他は従来の整合器３ｐと同様であり、高周波電源装置１ａと負荷５との間をインピーダンス整合させる目的で用いられる装置である。この電圧検出部３３は、整合器の整合部よりも負荷側の出力電圧を検出し、出力電圧に対応した電圧検出信号Ｖｖを出力する。
【００２８】
（高周波電源装置の説明）
第１の実施形態に係る高周波電源装置１ａは、伝送線路２及び整合器３及び負荷接続部４を介して、負荷５に高周波電力を供給するための電源装置である。また、一般にこの種の高周波電源装置では、数百ｋＨｚ以上の周波数の高周波電力を出力している。
【００２９】
（高周波電源装置の内部構成についての説明）
発振部１１は、所定の周波数の高周波信号Ｖｏｓを出力する。なお、ここで言う高周波信号とは、正弦波信号に限らず、例えば、矩形波信号、三角波信号等も含む。
【００３０】
増幅部１２は、後述する電力制御部１６ａの出力信号を指示値として発振部１１から出力する高周波信号を増幅して進行波電力ＰＦを出力する。
なお、増幅部１２から出力された進行波電力は、高周波電源装置の出力端としての高周波電力出力コネクタ１０１に接続された伝送線路２を介して、高周波電源装置の外部に出力される。
【００３１】
電力検出部１３は、増幅部１２から出力される進行波電力ＰＦ及び高周波電源装置の外部から戻ってくる反射波電力ＰＲを検出するとともに、進行波電力値に対応した進行波電力信号Ｖｐｆ及び反射波電力値に対応した反射波電力信号Ｖｐｒを出力する。この電力検出部１３には、例えば、方向性結合器等が用いられる。
【００３２】
出力電圧設定部１７は、整合器の出力電圧設定値を定める出力電圧設定信号Ｖｖｓを出力する。出力電圧設定値は、放電負荷の場合、負荷電圧が放電維持電圧のときの整合器の出力電圧よりも大きくするとよい。なお、出力電圧設定信号Ｖｖｓは、高周波電源装置の外部にある他の装置から入力してもよい。
【００３３】
電圧制御部１８は、電圧検出部３３から出力される電圧検出信号Ｖｖと出力電圧設定部１７から出力される出力電圧設定信号Ｖｖｓとを入力し、電圧制御信号Ｖｖｃを電力制御部１６ａに出力する。電圧制御信号Ｖｖｃは、電圧検出信号Ｖｖの大きさが出力電圧設定信号Ｖｖｓの大きさ以上のときには０Ｖの電圧信号であり、電圧検出信号Ｖｖの大きさが出力電圧設定信号Ｖｖｓの大きさ未満のときにはプラスの電圧信号である。このプラスの電圧信号の大きさは電圧検出信号Ｖｖの大きさを出力電圧設定信号Ｖｖｓの大きさにするための電圧値に相当する。なお、電圧検出信号Ｖｖは、整合器の出力端子３０４および高周波電源装置の入力端子１０２を介して電圧制御部１８に入力される。
【００３４】
出力電力設定部１５は、高周波電源装置から出力する進行波電力ＰＦの出力設定値あるいは負荷側電力の設定値を定める出力電力設定信号Ｖｐｓを出力する。なお、出力電力設定信号Ｖｐｓは、高周波電源装置の外部にある他の装置から入力してもよい。
【００３５】
電力制御部１６ａは、電力検出部１３から出力される進行波電力信号Ｖｐｆ及び反射波電力信号Ｖｐｒ、出力電力設定部１５から出力される出力電力設定信号Ｖｐｓ及び電圧制御部１８から出力される電圧制御信号Ｖｖｃを入力する。また、進行波電力を一定に制御する場合には、進行波電力値に対応した進行波電力信号Ｖｐｆを電力検出信号Ｖｐとし、負荷側電力一定に制御する場合には、進行波電力から反射波電力を減じた負荷側電力に対応した負荷側電力信号Ｖｐｌを演算し、この負荷側電力信号Ｖｐｌを電力検出信号Ｖｐとする。進行波電力信号Ｖｐｆと負荷側電力信号Ｖｐｌのどちらを電力検出信号Ｖｐとするかは予め定めておく。そして、電力検出信号Ｖｐの大きさが、出力電力設定信号Ｖｐｓに電圧制御信号Ｖｖｃを加えた大きさと等しくなるように増幅部に指示値となる電力制御信号Ｖｐｃ１を出力する。
上記の関係を演算式で表すと式（１）となる。
Ｖｐｃ１∝（Ｖｐｓ＋Ｖｖｃ−Ｖｐ）      ・・・・・（１）
【００３６】
すなわち、整合器の整合部よりも負荷側の電圧検出値が電圧設定値以上の場合は、電力検出値が、電力設定値に等しくなるように制御する。
一方、整合器の整合部よりも負荷側の電圧検出値が電圧設定値未満の場合は、電力検出値が、電力設定値に不足分（電圧設定値−電圧検出値）に応じて変化する高周波電力の出力を増加させるための指令値を加えた値に等しくなるように制御して、整合器の整合部よりも負荷側の電圧検出値が電圧設定値よりも小さくならないように制御する。
【００３７】
また、放電を利用するエッチング装置やＣＶＤ装置の場合、放電中に放電条件（放電ガスの種類、ガス流量、圧力等）を変更する場合がある。そのために、各放電条件のときの放電維持電圧以上の安定電圧と加工プロセスに必要な電力をそれぞれ出力電圧設定値、出力電力設定値として取り込むことで、最適な加工プロセスを行うことが可能となる。
【００３８】
［第２の実施の形態］
図２は、第２の実施形態に係る高周波電源装置１ｂの構成、整合器３ｂの構成及び高周波電源装置１ｂと整合器３ｂと負荷５との接続関係を示すブロック図である。
【００３９】
（整合器の説明）
第２の実施形態に係る整合器３ｂは、従来技術の整合器３ｐに比べて、整合部３２と負荷５との間に流れる出力電流を検出する電流検出部３４を有する点が異なるが、他は従来の整合器３ｐと同様であり、高周波電源装置１ｂと負荷５との間をインピーダンス整合させる目的で用いられる装置である。この電流検出部３４は、整合器の整合部３２よりも負荷側に流れる出力電流を検出し、出力電流に対応した電流検出信号Ｖｉを出力する。
【００４０】
（高周波電源装置の説明）
第２の実施形態に係る高周波電源装置１ｂは、伝送線路２及び整合器３及び負荷接続部４を介して、負荷５に高周波電力を供給するための電源装置である。また、一般にこの種の高周波電源装置では、数百ｋＨｚ以上の周波数の高周波電力を出力している。
【００４１】
（高周波電源装置の内部構成についての説明）
発振部１１、増幅部１２、電力検出部１３および出力電力設定部１５は、第１の実施形態で説明した図１の高周波電源装置と同様であるので、説明を省略する。
【００４２】
出力電流設定部２０は、整合器の出力電流設定値を定める出力電流設定信号Ｖｉｓを出力する。出力電流設定値は、放電負荷の場合、負荷電流が放電維持電流のときの整合器の出力電流よりも大きくするとよい。なお、出力電流設定信号Ｖｉｓは、高周波電源装置の外部にある他の装置から入力してもよい。
【００４３】
電流制御部２１は、電流検出部３４から出力される電流検出信号Ｖｉと出力電流設定部２０から出力される出力電流設定信号Ｖｉｓとを入力し、電流制御信号Ｖｉｃを電力制御部１６ｂに出力する。電流制御信号Ｖｉｃは、電流検出信号Ｖｉの大きさが出力電流設定信号Ｖｉｓの大きさ以上のときには０Ｖの電圧信号であり、電流検出信号Ｖｉの大きさが出力電流設定信号Ｖｉｓの大きさ未満のときにはプラスの電圧信号である。このプラスの電圧信号の大きさは電流検出信号Ｖｉの大きさを出力電流設定信号Ｖｉｓの大きさにするための電圧値に相当する。なお、電流検出信号Ｖｉは、整合器の出力端子３０５および高周波電源装置の入力端子１０３介して電流制御部２１に入力される。
【００４４】
電力制御部１６ｂは、電力検出部１３から出力される進行波電力信号Ｖｐｆ及び反射波電力信号Ｖｐｒ、出力電力設定部１５から出力される出力電力設定信号Ｖｐｓ及び電流制御部２１から出力される電流制御信号Ｖｉｃを入力する。また、進行波電力を一定に制御する場合には、進行波電力値に対応した進行波電力信号Ｖｐｆを電力検出信号Ｖｐとし、負荷側電力一定に制御する場合には、進行波電力から反射波電力を減じた負荷側電力に対応した負荷側電力信号Ｖｐｌを演算し、この負荷側電力信号Ｖｐｌを電力検出信号Ｖｐとする。進行波電力信号Ｖｐｆと負荷側電力信号Ｖｐｌのどちらを電力検出信号Ｖｐとするかは予め定めておく。そして、電力検出信号Ｖｐの大きさが、出力電力設定信号Ｖｐｓに電流制御信号Ｖｉｃを加えた大きさと等しくなるように増幅部に指示値となる電力制御信号Ｖｐｃ２を出力する。
上記の関係を演算式で表すと式（２）となる。
Ｖｐｃ２∝（Ｖｐｓ＋Ｖｉｃ−Ｖｐ）      ・・・・・（２）
【００４５】
すなわち、整合器の整合部よりも負荷側の電流検出値が電流設定値以上の場合は、電力検出値が、電力設定値に等しくなるように制御する。
一方、整合器の整合部よりも負荷側の電流検出値が電流設定値未満の場合は、電力検出値が、電力設定値に不足分（電流設定値−電流検出値）に応じて変化する高周波電力の出力を増加させるための指令値を加えた値に等しくなるように制御して、整合器の整合部よりも負荷側の電流検出値が電流設定値よりも小さくならないように制御する。
【００４６】
また、放電を利用するエッチング装置やＣＶＤ装置の場合、放電中に放電条件（放電ガスの種類、ガス流量、圧力等）を変更する場合がある。そのために、各放電条件のときの放電維持電流以上の安定電流と加工プロセスに必要な電力をそれぞれ出力電流設定値、出力電力設定値として取り込むことで、最適な加工プロセスを行うことが可能となる。
【００４７】
［第３の実施の形態］
図３は、第３の実施形態に係る高周波電源装置１ｃの構成、整合器３ａの構成及び高周波電源装置１ｃと整合器３ａと負荷５との接続関係を示すブロック図である。
【００４８】
（整合器の説明）
整合器３ａは、図１と同様であるので説明を省略する。
【００４９】
（高周波電源装置の説明）
第３の実施形態に係る高周波電源装置１ｃは、図１で説明した第１の実施形態に係る高周波電源装置１ａに比べて、電力制御部１６ａが電力制御部１６ｃに変更されている点が異なる。そのために、電力制御部１６ｃについて説明する。その他は、図１の高周波電源装置と同様であるので、説明を省略する。
【００５０】
電力制御部１６ｃは、電力検出部１３から出力される進行波電力信号Ｖｐｆ及び反射波電力信号Ｖｐｒ、出力電力設定部１５から出力される出力電力設定信号Ｖｐｓ及び電圧制御部１８から出力される電圧制御信号Ｖｖｃを入力する。また、進行波電力を一定に制御する場合には、進行波電力値に対応した進行波電力信号Ｖｐｆを電力検出信号Ｖｐとし、負荷側電力一定に制御する場合には、進行波電力から反射波電力を減じた負荷側電力に対応した負荷側電力信号Ｖｐｌを演算し、この負荷側電力信号Ｖｐｌを電力検出信号Ｖｐとする。進行波電力信号Ｖｐｆと負荷側電力信号Ｖｐｌのどちらを電力検出信号Ｖｐとするかは予め定めておく。
そして、電圧制御信号Ｖｖｃが０Ｖの電圧信号のときには、電力検出信号Ｖｐの大きさが、出力電力設定信号Ｖｐｓの大きさと等しくなるように増幅部に指示値となる電力制御信号Ｖｐｃ３を出力する。また、電圧制御信号Ｖｖｃがプラスの電圧信号のときには、電力検出信号Ｖｐの大きさが、電圧制御信号Ｖｖｃの大きさと等しくなるように増幅部に指示値となる電力制御信号Ｖｐｃ３を出力する。
上記の関係を演算式で表すと、整合器３ａの出力電圧が電圧設定値以上の場合は式（３）となり、整合器３ａの出力電圧が電圧設定値未満の場合は式（４）となる。
Ｖｐｃ３∝（Ｖｐｓ−Ｖｐ）      ・・・・・（３）
Ｖｐｃ３∝（Ｖｖｃ−Ｖｐ）      ・・・・・（４）
【００５１】
すなわち、整合器の整合部よりも負荷側の電圧検出値が電圧設定値以上の場合は、電力検出値が、電力設定値に等しくなるように制御する。
一方、整合器の整合部よりも負荷側の電圧検出値が電圧設定値未満の場合は、電力検出値が、不足分（電圧設定値−電圧検出値）に応じて変化する高周波電力の出力を増加させるための指令値に等しくなるように制御して、整合器の整合部よりも負荷側の電圧検出値が電圧設定値よりも小さくならないように制御する。
【００５２】
また、放電を利用するエッチング装置やＣＶＤ装置の場合、放電中に放電条件（放電ガスの種類、ガス流量、圧力等）を変更する場合がある。そのために、各放電条件のときの放電維持電圧以上の安定電圧と加工プロセスに必要な電力をそれぞれ出力電圧設定値、出力電力設定値として取り込むことで、最適な加工プロセスを行うことが可能となる。
【００５３】
［第４の実施の形態］
図４は、第４の実施形態に係る高周波電源装置１ｄの構成、整合器３ｂの構成及び高周波電源装置１ｄと整合器３ｂと負荷５との接続関係を示すブロック図である。
【００５４】
（整合器の説明）
整合器３ｂは、図２と同様であるので説明を省略する。
【００５５】
（高周波電源装置の説明）
第４の実施形態に係る高周波電源装置１ｄは、図２で説明した第２の実施形態に係る高周波電源装置１ｂに比べて、電力制御部１６ｂが電力制御部１６ｄに変更されている点が異なる。そのために、電力制御部１６ｄについて説明する。その他は、図１の高周波電源装置と同様であるので、説明を省略する。
【００５６】
電力制御部１６ｄは、電力検出部１３から出力される進行波電力信号Ｖｐｆ及び反射波電力信号Ｖｐｒ、出力電力設定部１５から出力される出力電力設定信号Ｖｐｓ及び電流制御部２１から出力される電流制御信号Ｖｉｃを入力する。また、進行波電力を一定に制御する場合には、進行波電力値に対応した進行波電力信号Ｖｐｆを電力検出信号Ｖｐとし、負荷側電力一定に制御する場合には、進行波電力から反射波電力を減じた負荷側電力に対応した負荷側電力信号Ｖｐｌを演算し、この負荷側電力信号Ｖｐｌを電力検出信号Ｖｐとする。進行波電力信号Ｖｐｆと負荷側電力信号Ｖｐｌのどちらを電力検出信号Ｖｐとするかは予め定めておく。
そして、電流制御信号Ｖｉｃが０Ｖの電圧信号のときには、電力検出信号Ｖｐの大きさが、出力電力設定信号Ｖｐｓの大きさと等しくなるように増幅部に指示値となる電力制御信号Ｖｐｃ４を出力する。また、電流制御信号Ｖｉｃがプラスの電圧信号のときには、電力検出信号Ｖｐの大きさが、電流制御信号Ｖｉｃの大きさと等しくなるように増幅部に指示値となる電力制御信号Ｖｐｃ４を出力する。
上記の関係を演算式で表すと、整合器３ｂの出力電流が電流設定値以上の場合は式（５）となり、整合器３ｂの出力電流が電流設定値未満の場合は式（６）となる。
Ｖｐｃ４∝（Ｖｐｓ−Ｖｐ）      ・・・・・（５）
Ｖｐｃ４∝（Ｖｉｃ−Ｖｐ）      ・・・・・（６）
【００５７】
すなわち、整合器の整合部よりも負荷側の電流検出値が電流設定値以上の場合は、電力検出値が、電力設定値に等しくなるように制御する。
一方、整合器の整合部よりも負荷側の電流検出値が電流設定値未満の場合は、電力検出値が、不足分（電流設定値−電流検出値）に応じて変化する高周波電力の出力を増加させるための指令値に等しくなるように制御して、整合器の整合部よりも負荷側の電流検出値が電流設定値よりも小さくならないように制御する。
【００５８】
また、放電を利用するエッチング装置やＣＶＤ装置の場合、放電中に放電条件（放電ガスの種類、ガス流量、圧力等）を変更する場合がある。そのために、各放電条件のときの放電維持電流以上の安定電流と加工プロセスに必要な電力をそれぞれ出力電流設定値、出力電力設定値として取り込むことで、最適な加工プロセスを行うことが可能となる。
【００５９】
なお、図１、図３では、整合器の内部に電圧検出部を設けて整合器の出力電圧を検出しているが、負荷の両端の電圧を検出するようにしてもよい。また、図２、図４では、整合器の内部に電流検出部を設けて整合器の出力電流を検出しているが、負荷に流れる電流を検出してもよい。
【図面の簡単な説明】
【００６０】
【図１】図１は、第１の実施形態に係る高周波電源装置１ａの構成、整合器３ａの構成及び高周波電源装置１ａと整合器３ａと負荷５との接続関係を示すブロック図である。
【図２】図２は、第２の実施形態に係る高周波電源装置１ｂの構成、整合器３ｂの構成及び高周波電源装置１ｂと整合器３ｂと負荷５との接続関係を示すブロック図である。
【図３】図３は、第３の実施形態に係る高周波電源装置１ｃの構成、整合器３ａの構成及び高周波電源装置１ｃと整合器３ａと負荷５との接続関係を示すブロック図である。
【図４】図４は、第４の実施形態に係る高周波電源装置１ｄの構成、整合器３ｂの構成及び高周波電源装置１ｄと整合器３ｂと負荷５との接続関係を示すブロック図である。
【図５】図５は、従来の高周波電源装置１ｐの構成、整合器３ｐの構成及び高周波電源装置１ｐと整合器３ｐと負荷５との接続関係を示すブロック図である。
【符号の説明】
【００６１】
１ａ      第１の実施形態に係る高周波電源装置
１ｂ      第２の実施形態に係る高周波電源装置
１ｃ      第３の実施形態に係る高周波電源装置
１ｄ      第４の実施形態に係る高周波電源装置
１ｐ      従来の高周波電源装置
２        伝送線路
３ａ      第１、第３の実施形態に係る整合器
３ｂ      第２、第４の実施形態に係る整合器
３ｐ      従来の整合器
４        負荷接続部
５        負荷
１１      発振部
１２      増幅部
１３      電力検出部
１５      出力電力設定部
１６      電力制御部
１７      出力電圧設定部
１８      電圧制御部
２０      出力電流設定部
２１      電流制御部
２２      電圧電流選択部
３１      整合器制御部
３２      整合部
３３      電圧検出部
３４      電流検出部
【図１】
0004763247.tif 000002
【図２】
0004763247.tif 000003
【図３】
0004763247.tif 000004
【図４】
0004763247.tif 000005
【図５】
0004763247.tif 000006